(57)【特許請求の範囲】
【請求項１】
マウント上に発光部材およびプッシュスイッチが設けられるスイッチにおいて、
前記マウント上に設けられ、前記発光部材および前記プッシュスイッチを覆う構造のカバープレートを含み、
前記カバープレートは、
前記プッシュスイッチに対応する位置に配置されるラバードームと、
前記ラバードームを押圧可能に設けられたプッシュスイッチノブと、
前記発光部材の上部面から所定の距離をおいて前記発光部材を覆う構造の発光部材カバーと、
前記発光部材の周縁を囲むようになっており、上方に所定の高さだけ延長された構造の光漏れ防止突起と、
を含み、
前記ラバードーム、前記発光部材カバー、及び前記光漏れ防止突起は一体となっており、
前記光漏れ防止突起と前記ラバードームとは隣接して配置されており、
前記ラバードームと前記ラバードームの上方に前記ラバードームと対向して設けられる前記プッシュスイッチノブの下端面との間には遊びが設けられており、
前記光漏れ防止突起は、前記ラバードームの上方に突出した高さに相当する高さにて形成されており、且つ、前記光漏れ防止突起が上方に延長した高さは、前記下端面の高さよりも大きい
ことを特徴とするスイッチ。
【請求項２】
前記カバープレートは、所定の弾性復元力を有するフレキシブルな材料からなる
ことを特徴とする請求項１に記載のスイッチ。
【請求項３】
前記カバープレートの材質はゴムからなることを特徴とする
請求項２に記載のスイッチ。
【請求項４】
前記ラバードームは、
ユーザの押し操作を受けて下方に変位し、平面視にて所定の面積を有する押圧接触部と、
前記カバープレートの上部面から所定の高さだけ延長され、前記押圧接触部の外周面とは一体となってつながる構造の支持部と、
前記押圧接触部の下部面から所定の長さだけ突出しており、前記押圧接触部の下方への移動により前記プッシュスイッチを押圧し、スイッチング動作を実現する押圧突起部と、を含む
ことを特徴とする請求項１に記載のスイッチ。
【請求項５】
前記押圧接触部と前記支持部は一体となってつながり、前記ラバードームの内部には、
密閉した構造のスペースが形成される
ことを特徴とする請求項４に記載のスイッチ。
【請求項６】
前記発光部材カバーは透明な材料からなる
ことを特徴とする請求項１に記載のスイッチ。
【請求項７】
前記発光部材カバーは前記光漏れ防止突起の内側と一体となっている
ことを特徴とする請求項１に記載のスイッチ。
【請求項８】
前記カバープレートの両端部には、前記マウントの両端部の少なくとも一部を囲む構造の折り曲げ部が形成されている
ことを特徴とする請求項１に記載のスイッチ。
【発明の詳細な説明】
【技術分野】
【０００１】
本発明は、防水および光漏れ防止の構造を含むスイッチに関するものであって、より詳細には、マウント上に発光部材およびプッシュスイッチが設けられるスイッチにおいて、液体または異物が外部から内部へ浸入することを効果的に防止すると共に、内部に設けられた発光部材から発せられる光が意図しない方向に漏れることを防止する構造を含むスイッチに関する。
【背景技術】
【０００２】
従来のスイッチにおいて、図1及び図2に示されたように、マウント上に発光部材やプッシュスイッチが設けられている。【０００３】
まず、図1を参照すると、従来のスイッチ10は、マウント12上に発光部材13が設けられている。ユーザによりプッシュスイッチノブ11が作動されると、所定の制御信号に応じて発光部材13が発光を行い、光をプッシュスイッチノブ11の方向へ照射する。【０００４】
この際、発光部材13から発せられる光が意図しないところへ漏れることを防止するため、更に光漏れ防止構造15が筐体14に設けられている。【０００５】
図2に示された従来のスイッチ20においても、発光部材23から発せられる光が意図しない方向に漏れることを防止するため、光漏れ防止構造25が筐体24の内部に追加的に設けられている。【０００６】
一方で、図1及び図2に示された従来のスイッチの場合、発光部材を保護するために、更に保護部材を設けなければならない。【０００７】
この際、内部スペースには制約があるため、光漏れ防止構造を含む筐体を設計することは容易でない。【０００８】
また、図1及び図2に示された従来のスイッチの場合、光漏れ防止構造と保護部材を別々に制作したうえで組み入れるため、生産工程が長くなり、生産コストが上昇する問題がある。【０００９】
また、図1及び図2に示された従来のスイッチの場合、光漏れ防止構造と保護部材が別々に形成されているため、外部から内部へ浸入する液体または異物から発光部材や電子部品を効果的に保護できない問題がある。【００１０】
従って、従来技術の問題点を解決するスイッチに関する技術が求められている。
【先行技術文献】
【特許文献】
【００１１】
【特許文献１】韓国公開特許第10-2006-0032064号公報（公開日：2006年4月14日）
【発明の概要】
【発明が解決しようとする課題】
【００１２】
本発明の目的は、マウント上に発光部材およびプッシュスイッチが設けられるスイッチにおいて、スイッチの内部に設けられる発光部材から発せられた光が外部へ漏れることを効果的に防止すると共に、異物が外部から内部へ浸入することを効果的に防止する構造を含むスイッチを提供することである。
【課題を解決するための手段】
【００１３】
このような目的を達成するため、本発明の一側面によるスイッチは、マウント上に発光部材およびプッシュスイッチが設けられるスイッチであって、前記マウント上に設けられ、前記発光部材および前記プッシュスイッチを覆う構造のカバープレートを含み、前記カバープレートは、前記プッシュスイッチに対応する位置に配置されるラバードーム(rubber dome)と、前記発光部材の上部面から所定の距離をおいて前記発光部材を覆う構造の発光部材カバーと、前記発光部材の周縁を囲むようになっており、上方に所定の高さだけ延長された構造の光漏れ防止突起と、を含む。【００１４】
本発明の一実施例において、前記カバープレートは、所定の弾性復元力を有するフレキシブルな材料からなる。【００１５】
この際、前記カバープレートの材質は、例えば、ゴム(rubber)からなる。【００１６】
本発明の一実施例において、前記ラバードーム、発光部材カバー、及び光漏れ防止突起は、例えば、一体となっている。【００１７】
本発明の一実施例において、前記ラバードームは、ユーザの押し操作を受けて下方に変位し、平面視にて所定の面積を有する押圧接触部と、前記カバープレートの上部面から所定の高さだけ延長され、前記押圧接触部の外周面とは一体となってつながる構造の支持部と、前記押圧接触部の下部面から所定の長さだけ突出しており、前記押圧接触部の下方への移動により前記プッシュスイッチを押圧し、スイッチング動作を実現する押圧突起部と、を含む。【００１８】
この際、前記押圧接触部と前記支持部は一体となってつながり、ラバードームの内部には、密閉した構造のスペースが形成される。【００１９】
本発明の一実施例において、前記発光部材カバーは、例えば、透明な材料からなる。【００２０】
また、前記発光部材カバーは、例えば、前記光漏れ防止突起の内側とは一体となっている。【００２１】
また、前記光漏れ防止突起は、前記ラバードームの上方に突出した高さに相当する高さにて形成されている。【００２２】
本発明の一実施例において、前記カバープレートの両端部には、前記マウントの両端部の少なくとも一部を囲む構造の折り曲げ部が形成される。
【発明の効果】
【００２３】
以上にて説明したように、本発明のスイッチによると、特定の構造を有する、ラバードーム、発光部材カバー、及び、光漏れ防止突起を含むカバープレートを設けることにより、発光部材から発せられる光が外部へ漏れることを効果的に防止すると共に、異物が外部から内部へ浸入することを効果的に防止することができる。【００２４】
また、本発明のスイッチによると、所定の弾性復元力を有するフレキシブルな材料からなるカバープレートを設けることにより、ユーザの押す操作に対してフレキシブルに反応するプッシュスイッチングが実現され、外部から印加される外力等に対して緩衝が行われるため、スイッチの耐久性が著しく向上する。【００２５】
また、本発明のスイッチによると、ラバードーム、発光部材カバー、及び光漏れ防止突起を一体に形成することにより、異物が外部から内部へ浸入することを効果的に防止することができる。【００２６】
また、本発明のスイッチによると、特定の構造を有する、押圧接触部、支持部、及び押圧突起部を含むラバードームを設けることにより、ユーザの押す操作が効果的に伝わるスイッチングを実現することができる。【００２７】
また、本発明のスイッチによると、押圧接触部と支持部が一体となってつながり、ラバードームの内部に、密閉した構造のスペースを形成することにより、液体または異物が外部から内部へ浸入することが効果的に防止されるため、プッシュスイッチを保護し、安定的なプッシュスイッチ動作を確保することができる。【００２８】
また、本発明のスイッチによると、透明な材料からなり、特定の位置に配置される発光部材カバーを設けることにより、外部から浸入されかねない液体または異物から発光部材を保護することができる。【００２９】
また、本発明のスイッチによると、ラバードームの上方に突出した高さに相当する高さにて形成された光漏れ防止突起を設けることにより、発光部材から発せられる光が外部へ漏れることを効果的に防止することができる。【００３０】
また、本発明のスイッチによると、カバープレートの両端部に、マウントの両端部の少なくとも一部を囲む構造の折り曲げ部を形成することにより、カバープレートとマウントが安定的に付着するため、防水および光漏れ防止の構造が安定的に実現される。
【図面の簡単な説明】
【００３１】
【図１】マウント上に発光部材が設けられたスイッチを示す断面図である。
【図２】従来における光漏れ防止構造を含むスイッチを示す断面図である。
【図３】本発明の一実施例に係るスイッチを示す平面図である。
【図４】図3におけるA-A'線断面図である。
【図５】図3におけるB-B'線断面図である。
【図６】本発明の一実施例に係るカバープレートを示す斜視図である。
【発明を実施するための形態】
【００３２】
以下に、本発明の実施例を添付の図面を用いて詳細に説明する。
【００３３】
まず、本明細書や特許請求の範囲において使用される用語等は、通常の意味、若しくは、辞書的な意味に限らず、本発明の技術的思想に相応しい意味として解釈されなければならない。
【００３４】
なお、本明細書等において、ある部材が他の部材「上」に設けられるとした場合、これには、ある部材が他の部材に接している場合だけでなく、両部材の間にまた他の部材が存在する場合も含まれる。また、本明細書等において、ある部材がある構成要素を「含む」とした場合、これには、相反する記載がない限り、他の構成要素を排除することではなく、他の構成要素を更に含む場合が含まれる。
【００３５】
図３は、本発明の一実施例に係るスイッチを示す平面図であり、図４は、図3におけるA-A'線断面図であり、図５は、図3におけるB-B'線断面図である。また、図６は、本発明の一実施例に係るカバープレートを示す斜視図である。
【００３６】
これらの図面を参照すると、本実施例に係るスイッチ100は、マウント101上に発光部材102およびプッシュスイッチ103が設けられるスイッチ100であって、特定の構造を有する、ラバードーム111、発光部材カバー112、及び、光漏れ防止突起113を含むカバープレート110を設けることにより、発光部材102から発せられる光が外部へ漏れることを効果的に防止すると共に、異物が外部から内部へ浸入することを効果的に防止することができる。
【００３７】
以下では、図面を参照しつつ、本実施例に係るスイッチ100を構成する各構成について詳細に説明する。
【００３８】
図4〜図6に示されたように、本実施例に係るスイッチ100は、マウント101上に設けられ、発光部材102およびプッシュスイッチ103を覆う構造のカバープレート110を含む。
【００３９】
本実施例に係るカバープレート110は、所定の弾性復元力を有するフレキシブルな材料からなることが好ましく、例えば、その材質はゴムからなる。カバープレート110の材質をゴムとする場合、防水と絶縁の効果が同時に得られる観点から最も好ましい。
【００４０】
従って、本発明のスイッチ100によると、所定の弾性復元力を有するフレキシブルな材料からなるカバープレート110を設けることにより、ユーザの押す操作に対してフレキシブルに反応するプッシュスイッチングが実現され、外部から印加される外力等に対して緩衝が行われるため、スイッチの耐久性が著しく向上する。
【００４１】
カバープレート110には、ラバードーム(rubber dome)111、発光部材カバー112、及び光漏れ防止突起113が形成されるが、好ましくは一体として形成される。
【００４２】
従って、本発明のスイッチ100によると、ラバードーム111、発光部材カバー112、及び光漏れ防止突起113を一体に形成することにより、異物が外部から内部へ浸入することを効果的に防止することができる。
【００４３】
具体的に、ラバードーム(rubber dome)111は、プッシュスイッチ103に対応する位置に配置されるものであって、特定の構造を有する、押圧接触部114、支持部115、及び押圧突起部116を含む。
【００４４】
図5に示されたように、押圧接触部114は、ユーザの押し操作を受けて下方に変位し、平面視にて所定の面積を有する。
【００４５】
支持部115は、カバープレート110の上部面から所定の高さだけ延長され、押圧接触部114の外周面とは一体となってつながる構造を有する。また、支持部115は、所定の弾性復元力を有するフレキシブルな材料からなることが好ましい。具体的に、押圧接触部114が下方に変位する際に、支持部115は変形され、ユーザの押し操作が解除されると、支持部115の弾性復元力により、押圧接触部114は元の位置へ戻る。
【００４６】
押圧突起部116は、押圧接触部114の下部面から所定の長さだけ突出しており、押圧接触部114の下方への移動によりプッシュスイッチ103を押圧し、スイッチング動作を実現する。
【００４７】
従って、本発明のスイッチ100によると、特定の構造を有する、押圧接触部114、支持部115、及び押圧突起部116を含むラバードーム111を設けることにより、ユーザの押す操作が効果的に伝わるスイッチングを実現することができる。
【００４８】
好ましくは、図4及び図5に示されたように、押圧接触部114と支持部115は一体となってつながり、ラバードーム111の内部には、密閉した構造のスペースが形成される。
【００４９】
従って、本発明のスイッチ100によると、押圧接触部114と支持部115が一体となってつながり、内部に密閉した構造のスペースを形成することにより、液体または異物がプッシュスイッチ103の設けられたスペースへ浸入することが効果的に防止されるため、プッシュスイッチ103を保護し、安定的なプッシュスイッチ動作を確保することができる。
【００５０】
一方で、発光部材カバー112は、発光部材102の上部面から所定の距離をおいて発光部材102を覆う構造を有する。
【００５１】
好ましくは、本実施例に係る発光部材カバー112は、透明な材料からなるため、発光部材102から発せられる光が意図された方向に照射されることになる。
【００５２】
従って、本発明のスイッチ100によると、透明な材料からなることに加え、特定の位置に配置される発光部材カバー112を設けることにより、発光部材102の設けられたスペースの外部から浸入されかねない液体または異物から発光部材102を保護することができる。
【００５３】
光漏れ防止突起113は、図4及び図5に示されたように、発光部材102の周縁を囲むようになっており、上方に所定の高さだけ延長された構造を有する。
【００５４】
この際に、図4及び図5に示されたように、光漏れ防止突起113の内側には、発光部材カバー112が一体的に形成される。
【００５５】
好ましくは、図5に示されたように、光漏れ防止突起113は、ラバードーム111の上方に突出した高さに相当する高さにて形成される。
【００５６】
好適には、光漏れ防止突起113の上方に延長した高さＨ1は、ラバードームの上方に突出した高さＨ2に対し、100％〜110％の寸法を有する。
【００５７】
光漏れ防止突起113の上方に延長した高さＨ1が、ラバードームの上方に突出した高さＨ2に対して100％未満である場合、発光部材102から発せられた光が光漏れ防止突起113を越えてラバードーム111の位置するところまで及ぶことになる。この際に、プッシュスイッチノブ105の下端面105aとラバードーム111の上端面との間に遊びαがある場合、該遊びαから光が外部へ漏れることになる。
【００５８】
一方で、光漏れ防止突起113の上方に延長した高さＨ1が、ラバードームの上方に突出した高さＨ2に対して110％を超える場合、発光部材102から発せられた光が意図しない方向へ漏れることを防止できるが、光漏れ防止突起113の上方に延長した長さが無駄に長くなり、組み入れ工程での不便を招くことになる。
【００５９】
従って、上記の観点から、光漏れ防止突起113の上方に延長した高さＨ1は、ラバードームの上方に突出した高さＨ2に対して100％〜110％であることが最も好ましい。
【００６０】
従って、本発明のスイッチ100によると、ラバードーム111の上方に突出した高さに相当する高さにて形成された光漏れ防止突起113を設けることにより、発光部材から発せられる光が外部へ漏れることを効果的に防止することができる。
【００６１】
場合によっては、図4及び図5に示されたように、カバープレート110の両端部には、マウント101の両端部の少なくとも一部を囲む構造の折り曲げ部117が形成される。
【００６２】
この場合、カバープレート110とマウント101が安定的に付着するため、防水および光漏れ防止の構造が安定的に実現される。
【００６３】
以上、本発明を実施例に基づいて説明したが、本発明は上記実施例に限定されるものではなく、特許請求の範囲に記載の範囲内で様々な変形が可能である。
【００６４】
本願は、韓国特許庁に2017年1月24日に出願された基礎出願10-2017-0011040号の優先権を主張するものであり、その全内容を参照によりここに援用する。
【符号の説明】
【００６５】
10                従来のスイッチ
11                プッシュスイッチノブ
12                マウント
13                発光部材
14                筐体
15                光漏れ防止構造
20                従来のスイッチ
21                プッシュスイッチノブ
22                マウント
23                発光部材
24                筐体
25                光漏れ防止構造
100                スイッチ
101                マウント
102                発光部材
103                プッシュスイッチ
104                筐体
105                プッシュスイッチノブ
110                カバープレート
111                ラバードーム
112                発光部材カバー
113                光漏れ防止突起
114                押圧接触部
115                支持部
116                押圧突起部
117                折り曲げ部
Ｈ1                光漏れ防止突起が上方に延長した高さ
Ｈ2                ラバードームが上方に突出した高さ
【図１】
0006695448.tif 000002
【図２】
0006695448.tif 000003
【図３】
0006695448.tif 000004
【図４】
0006695448.tif 000005
【図５】
0006695448.tif 000006
【図６】
0006695448.tif 000007